(57)【特許請求の範囲】
【請求項１】
第一のコンテンツソースから複数の第一のコンテンツとそのコンテンツの内容を表す第一のコンテンツ情報とを取得し、当該複数の第一のコンテンツのうちのいずれかを表示する情報表示装置において、
前記第一のコンテンツソースとは異なる複数の第二のコンテンツソース群から、前記第一のコンテンツ情報に少なくとも部分一致する第二のコンテンツ情報を有する第二のコンテンツを検索し、一つの前記第一のコンテンツに対して任意数の前記第二のコンテンツとその第二のコンテンツ情報とを取得するコンテンツ取得部と、
前記複数の第一のコンテンツそれぞれの第一のコンテンツ情報を、当該複数の第一のコンテンツのうちのいずれかを表示している画面に重畳表示する第一のコンテンツ表示制御部と、
前記第一のコンテンツ表示制御部による前記複数の第一のコンテンツ情報の重畳表示と略同時に、当該第一のコンテンツ情報毎に前記コンテンツ取得部で取得した前記任意数の第二のコンテンツ情報のうちの一部の第二のコンテンツ情報を重畳表示する一次関連情報表示制御部と、
前記第二のコンテンツ情報の表示数を増やし、前記第一のコンテンツ表示制御部による前記複数の第一のコンテンツ情報の重畳表示領域を除く全画面に表示する二次関連情報表示制御部と、
ユーザの指示に応じて、前記一次関連情報表示制御部による一部表示から前記二次関連情報表示制御部による全画面表示へ切り替える表示切替部とを備えることを特徴とする情報表示装置。
【請求項２】
前記第一のコンテンツ情報に対する前記第二のコンテンツ情報の関連度を算出し、一つの前記第一のコンテンツに対する前記任意数の第二のコンテンツを当該関連度が高い順に順位付けする関連度算出部を備え、
前記一次関連情報表示制御部は、前記第二のコンテンツ情報を、前記関連度算出部の順位付けに従って並べて表示することを特徴とする請求項１記載の情報表示装置。
【請求項３】
前記第一のコンテンツ情報に対する前記第二のコンテンツ情報の関連度を算出し、一つの前記第一のコンテンツに対する前記任意数の第二のコンテンツを当該関連度が高い順に順位付けする関連度算出部を備え、
前記二次関連情報表示制御部は、前記第二のコンテンツ情報を、前記関連度算出部の順位付けに従って並べて全画面表示することを特徴とする請求項１記載の情報表示装置。
【請求項４】
前記第一のコンテンツ情報と前記第二のコンテンツ情報とを重畳表示している場合に、ユーザからいずれかの第二のコンテンツ情報の選択指示を受けると、前記コンテンツ取得部は、当該選択指示された第二のコンテンツ情報を有する第二のコンテンツを表示させることを特徴とする請求項１から請求項３のうちのいずれか１項記載の情報表示装置。
【請求項５】
前記関連度算出部は、ユーザの嗜好に合わせて前記第二のコンテンツを順位付けすることを特徴とする請求項２または請求項３記載の情報表示装置。
【請求項６】
前記コンテンツ取得部で取得した前記第二のコンテンツ情報を外部出力する外部出力部を備えることを特徴とする請求項１から請求項５のうちのいずれか１項記載の情報表示装置。
【請求項７】
第一のコンテンツソースから複数の第一のコンテンツとそのコンテンツの内容を表す第一のコンテンツ情報とを取得し、当該複数の第一のコンテンツのうちのいずれかを表示する第一のコンテンツ表示ステップと、
前記第一のコンテンツソースとは異なる複数の第二のコンテンツソース群から、前記第一のコンテンツ情報に少なくとも部分一致する第二のコンテンツ情報を有する第二のコンテンツを検索し、一つの前記第一のコンテンツに対して任意数の前記第二のコンテンツとその第二のコンテンツ情報とを取得するコンテンツ取得ステップと、
前記複数の第一のコンテンツそれぞれの第一のコンテンツ情報を、当該複数の第一のコンテンツのうちのいずれかを表示している画面に重畳表示すると共に、当該第一のコンテンツ情報毎に前記コンテンツ取得ステップで取得した前記任意数の第二のコンテンツ情報のうちの一部の第二のコンテンツ情報を重畳表示する一次関連情報表示ステップと、
ユーザの指示に応じて、前記第二のコンテンツ情報の表示数を増やし、前記複数の第一のコンテンツ情報の重畳表示領域を除く全画面に表示する二次関連情報表示ステップと、
ユーザの指示に応じて、前記一次関連情報表示ステップによる一部表示から前記二次関連情報表示ステップによる全画面表示へ切り替える表示切替ステップと
を備える情報表示方法。
【発明の詳細な説明】
【技術分野】
【０００１】
この発明は、テレビ番組に関連する各種コンテンツの情報を表示する情報表示装置および情報表示方法に関する。
【背景技術】
【０００２】
テレビ視聴中に番組を切り替える場合、番組表または裏番組リストを画面表示し、ユーザに選択させる方法が一般的である。例えば特許文献１に係る電子番組ガイド装置の場合、各放送チャンネルで放送されている番組（裏番組）の代表画面の静止画を縮小した縮小画面を表示し、縮小画面の所定のものが指定されたとき、その番組のタイトルをタイトルバーに表示する。また例えば、特許文献２に係る情報処理装置の場合、録画済みコンテンツおよびインターネットコンテンツといった各種コンテンツの中から、ユーザにより選択されている番組と関連度合いの高いコンテンツを検索し、そのコンテンツの情報を表示する。
【先行技術文献】
【特許文献】
【０００３】
【特許文献１】特開平９−３７１７９号公報
【特許文献２】特開２００８−３０６４５８号公報
【発明の概要】
【発明が解決しようとする課題】
【０００４】
近年、電子番組ガイド（ＥＰＧ）等を使用して録画予約をするのが一般的であるが、チャンネル数および番組数が多く、膨大な情報の中から好みの番組を見つけ出すことが難しくなっていた。また、記憶媒体の大容量化により録画済みコンテンツ量が増大しており、ユーザが視聴する録画済み番組を決定することが難しくなっていた。例えば上記特許文献２の場合、選択されている番組と関連度合いの高いコンテンツの情報を表示する構成であるため、全ての番組に関する情報が表示されるものではなく、閲覧性が低いという課題があった。
【０００５】
また、コンテンツソースが多様化しており、放送中番組、放送予定番組に加え、録画済み番組およびインターネットを介して取得可能な様々なコンテンツを扱う場合に、総合的に好みの情報を探索し選択することが難しくなっていた。例えば、インターネット上のコンテンツおよび記憶媒体に記録されたコンテンツを検索する場合、カテゴリおよびキーワード等で階層化されたリストからユーザがリモコン等によりコンテンツを選択するか、キーボードでキーワードを入力し検索を行う必要があった。
【０００６】
さらに、多数のコンテンツソースを切り替える場合、ユーザがリモコン操作等によりメニュー一覧から項目を選択して機能を切り替えたり、リモコン上のボタンを押下して機能を切り替えたりするなど、コンテンツソース毎に決められた操作を学習して実行する必要があった。例えば上記特許文献１の場合、テレビ番組に関するコンテンツソース内から情報を取得する構成であるため、録画済みコンテンツおよびインターネットコンテンツといった異なるコンテンツの情報を表示させるためには、ユーザが機能を切り替える操作を行う必要がった。このため、頻繁に行われるザッピング行為（チャンネル選択操作）としては、操作が煩雑になる傾向があるという課題があった。
【０００７】
この発明は、上記のような課題を解決するためになされたもので、放送中の各番組に関連する各種コンテンツの情報を、簡単な操作で検索および閲覧することのできる情報表示装置および情報表示方法を提供することを目的とする。
【課題を解決するための手段】
【０００８】
この発明に係る情報表示装置は、第一のコンテンツソースとは異なる複数の第二のコンテンツソース群から、第一のコンテンツ情報に少なくとも部分一致する第二のコンテンツ情報を有する第二のコンテンツを検索し、一つの第一のコンテンツに対して任意数の第二のコンテンツとその第二のコンテンツ情報とを取得するコンテンツ取得部と、複数の第一のコンテンツそれぞれの第一のコンテンツ情報を、当該複数の第一のコンテンツのうちのいずれかを表示している画面に重畳表示する第一のコンテンツ表示制御部と、第一のコンテンツ表示制御部による複数の第一のコンテンツ情報の重畳表示と略同時に、当該第一のコンテンツ情報毎にコンテンツ取得部で取得した任意数の第二のコンテンツ情報のうちの一部の第二のコンテンツ情報を重畳表示する一次関連情報表示制御部と、第二のコンテンツ情報の表示数を増やし、第一のコンテンツ表示制御部による複数の第一のコンテンツ情報の重畳表示領域を除く全画面に表示する二次関連情報表示制御部と、ユーザの指示に応じて、一次関連情報表示制御部による一部表示から二次関連情報表示制御部による全画面表示へ切り替える表示切替部とを備えるものである。
【０００９】
この発明に係る情報表示方法は、第一のコンテンツソースから複数の第一のコンテンツとそのコンテンツの内容を表す第一のコンテンツ情報とを取得し、当該複数の第一のコンテンツのうちのいずれかを表示する第一のコンテンツ表示ステップと、第一のコンテンツソースとは異なる複数の第二のコンテンツソース群から、第一のコンテンツ情報に少なくとも部分一致する第二のコンテンツ情報を有する第二のコンテンツを検索し、一つの第一のコンテンツに対して任意数の第二のコンテンツとその第二のコンテンツ情報とを取得するコンテンツ取得ステップと、複数の第一のコンテンツそれぞれの第一のコンテンツ情報を、当該複数の第一のコンテンツのうちのいずれかを表示している画面に重畳表示すると共に、当該第一のコンテンツ情報毎にコンテンツ取得ステップで取得した任意数の第二のコンテンツ情報のうちの一部の第二のコンテンツ情報を重畳表示する一次関連情報表示ステップと、ユーザの指示に応じて、第二のコンテンツ情報の表示数を増やし、複数の第一のコンテンツ情報の重畳表示領域を除く全画面に表示する二次関連情報表示ステップと、ユーザの指示に応じて、一次関連情報表示ステップによる一部表示から二次関連情報表示ステップによる全画面表示へ切り替える表示切替ステップとを備えるものである。
【発明の効果】
【００１０】
この発明によれば、第一のコンテンツに関連のある第二のコンテンツを第二のコンテンツソース群から取得し、複数の第一のコンテンツ情報の表示と略同時に、当該第一のコンテンツ情報毎に第二のコンテンツ情報を表示することにより、ユーザがコンテンツソースの切り替え操作を行うことなく、放送中の各番組に関連する各種コンテンツの情報を検索および閲覧することができる。
【図面の簡単な説明】
【００１１】
【図１】この発明の実施の形態１に係る情報表示装置の構成を示すブロック図である。
【図２】番組情報記憶部が格納する番組情報の例を示す図である。
【図３】コンテンツ取得部が放送中の番組の番組情報から抽出した検索キーワードの例を示す図である。
【図４】関連情報記憶部が格納する関連情報の例を示す図である。
【図５】関連度算出部が算出する関連度の算出結果の例を示す図である。
【図６】実施の形態１に係る情報表示装置のコンテンツ取得部と関連度算出部の動作を示すフローチャートである。
【図７】コンテンツ取得部が決定する検索キーワードの優先順位の例を示す図である。
【図８】放送チャンネルの選択操作を開始した場合の、番組情報と関連情報の画面表示例を示す図である。
【図９】放送チャンネルの選択操作を開始した場合の、番組情報と関連情報の画面表示例であって、フォーカスを関連情報アイコンに移動した状態を示す。
【図１０】放送チャンネルの選択操作を開始した場合の、番組情報と関連情報の画面表示例であって、関連情報アイコンを全画面表示した状態を示す。
【発明を実施するための形態】
【００１２】
実施の形態１．
図１に示すように、情報表示装置１は、テレビ受像部２、番組情報記憶部４、表示部５、コンテンツ取得部６、関連情報記憶部９、ユーザ履歴記憶部１０、関連度算出部１１、表示切替部１２、番組情報表示制御部１３、一次関連情報表示制御部１４、二次関連情報表示制御部１５、リモコン１６、リモコン受光部１７および外部出力部１８を備える。表示部５はモニタ等を有し、任意の画面を表示する。リモコン１６には上下左右の方向キー、決定キー、数字キーなどが配置され、ユーザのキー押下を示す赤外線信号を出力する。リモコン受光部１７はリモコン１６から赤外線信号を受信して、ユーザのキー操作を表す信号をテレビ受像部２、コンテンツ取得部６、関連度算出部１１、表示切替部１２、番組情報表示制御部１３、一次関連情報表示制御部１４、二次関連情報表示制御部１５へ出力する。なお、図１ではリモコン受光部１７から各部への信号出力を表す矢印の図示を省略している。
【００１３】
テレビ受像部２は、アンテナ３を介して一般的な地上放送、衛星放送などを受信して、映像データおよび音声データからなる映像コンテンツと、ＥＰＧなどの番組情報とに分離し、番組情報を番組情報記憶部４に格納する。また、テレビ受像部２は、ユーザがリモコン１６を用いて選択した放送チャンネルの映像データを表示部表示部５に出力すると共に、音声データを不図示のスピーカに出力する。なお、テレビ受像部２をケーブルテレビなどに接続してもよい。
この映像コンテンツが第一のコンテンツに相当し、番組情報が第一のコンテンツ情報に相当する。
【００１４】
番組情報記憶部４は、テレビ受像部２から入力される放送中の各番組の番組情報（視聴中の番組の番組情報含む）を格納する。図２に、番組情報記憶部４の格納する番組情報の例を示す。番組情報は、放送日時、タイトル、ジャンル、出演者、内容などのデータから構成される。また、図示は省略するが、映像データから一画面を抜き出して番組情報アイコンを生成し、番組情報に含めておく。
【００１５】
コンテンツ取得部６は、各種のコンテンツソースからコンテンツを取得するインタフェースである。このコンテンツ取得部６は、番組情報記憶部４に格納されている放送中の各番組の番組情報から検索キーワードを抽出し、各種のコンテンツソースに対し検索を実行する。図３に、放送中の番組の番組情報から抽出した検索キーワードの例を示す。この検索キーワードは、図２に示す番組情報から抽出されたものである。
各種のコンテンツソースとしては、例えばネットワーク７を介してアクセス可能なインターネット上のショッピングサイト、動画サービス、音楽サービス、書籍販売サービスなどがある。また例えば、録画済み番組などを蓄積したＤＶＤ（Ｄｉｇｉｔａｌ  Ｖｅｒｓａｔｉｌｅ  Ｄｉｓｃ）、ＨＤＤ（Ｈａｒｄ  Ｄｉｓｋ  Ｄｒｉｖｅ）などの記憶装置８がある。なお、記憶装置８を情報表示装置１に内蔵してもよい。
【００１６】
コンテンツ取得部６は、これらのコンテンツソースから検索キーワードに合致するコンテンツを検索し、当該コンテンツの内容を表す属性情報を取得して関連情報記憶部９に格納する。さらにコンテンツ取得部６は、放送予定の番組の番組情報を検索して、放送中の番組の次回放送予定の番組情報、放送中の番組に関連する放送予定番組の番組情報などを取得して関連情報記憶部９に格納してもよい。以下では、検索キーワードに合致するコンテンツの属性情報を、関連情報と称す。
これら各種のコンテンツソースが第二のコンテンツソース群に相当し、属性情報が第二のコンテンツ情報に相当する。
【００１７】
なお、検索対象のコンテンツソースを、ユーザが追加または削除してもよい。この場合、ユーザの選択したコンテンツソース（ショッピングサイト、動画サービスなど）をユーザ履歴記憶部１０に登録しておき、コンテンツ取得部６はユーザ履歴記憶部１０に登録された情報に従って、任意のコンテンツソースからコンテンツを取得する。
【００１８】
関連情報記憶部９は、コンテンツ取得部６が各種コンテンツソースから取得した関連情報を格納する。図４に、関連情報記憶部９の格納する関連情報の例を示す。例えば、コンテンツ取得部６が、検索キーワード「高校サッカー」でショッピングサイトを検索した検索結果Ｘとして「サッカーマガジン」の属性情報（コンテンツソース、タイトル、ジャンル、内容など）を取得し、この属性情報を関連情報として関連情報記憶部９に格納する。また、図示は省略するが、サッカーマガジンの表紙などの画像データを取得して、関連情報アイコンを生成し、関連情報に含めておく。
【００１９】
ユーザ履歴記憶部１０は、ユーザによるリモコン１６の操作履歴を逐次記憶していく。例えば、ユーザが視聴した番組の番組情報、ユーザが選択したコンテンツの属性情報などをユーザ履歴記憶部１０に格納する。このユーザ履歴記憶部１０に格納された情報に基づいて、ユーザの嗜好を推測可能となる。また、上述したように、コンテンツ取得部６の検索対象となるコンテンツソースを登録してもよい。
【００２０】
関連度算出部１１は、番組情報記憶部４に格納されている放送中の各番組の番組情報と、関連情報記憶部９に格納されている関連情報とを比較し、所定の方法に従って両情報の関連度を算出する。番組情報、関連情報および関連度は、関連度算出部１１から表示切替部１２へ出力される。
【００２１】
関連度の算出方法としては、例えば（ａ）関連情報の検索結果Ｘ，Ｙ（図４に示す）に含まれるキーワード、（ｂ）放送中の番組情報に含まれるキーワード（図３に示す）に対し、（ａ）と（ｂ）で一致するキーワード数、および（ａ）と（ｂ）のキーワードの出現傾向の一致度合いを求める。そして、一致キーワード数と出現頻度の組を要素とするベクトルを、（ａ）と（ｂ）それぞれについて作成し、それら２つのベクトルの内積を関連度とする。図５に、関連度の算出結果の例を示す。この例では、検索結果Ｙに比べ、検索結果Ｘの方が放送中の番組（図２に示す）との関連度が高い。
なお、ユーザが過去に選択した番組の番組情報、およびユーザが過去に選択した各種コンテンツの属性情報に含まれるキーワードをユーザ履歴記憶部１０に格納しておき、関連度算出部１１がそのキーワードの集計結果に応じて重み付けを行う等して、関連度にユーザの嗜好を反映させてもよい。
【００２２】
ここで、図６に示すフローチャートを用いて、コンテンツ取得部６および関連度算出部１１の動作を説明する。情報表示装置１は、このフローチャートに示す一連の動作を、所定周期毎に繰り返し行ってもよいし、ユーザがリモコン１６を用いて放送チャンネルの選択操作を開始した場合に行ってもよい。
【００２３】
先ずステップＳＴ１において、コンテンツ取得部６が、番組情報記憶部４からＮ＝１番目の放送チャンネルの放送中の番組情報（例えば、タイトル「高校サッカー予選」の番組情報）を取得し、検索キーワードを抽出する。続くステップＳＴ２において、コンテンツ取得部６が検索キーワードを優先順位付けする。優先順位の決定には、例えばネットサービスが提供するキーワードランキングを利用したり、ユーザ履歴記憶部１０に格納されているユーザが過去に選択した番組の番組情報または各種コンテンツの属性情報に含まれるキーワードの集計結果を利用したりする。図７に、検索キーワードの優先順位の例を示す。
【００２４】
続くステップＳＴ３において、コンテンツ取得部６が優先順位Ｍ＝１位の検索キーワード「高校サッカー」を用いて、録画済みコンテンツ、ショッピングサイトなどの各種コンテンツソースを検索し、検索キーワードに一致するコンテンツ属性情報を関連情報記憶部９に格納する。コンテンツ取得部６は、タイトル「高校サッカー予選」の番組情報から抽出した検索キーワードのうち、未検索のものがあれば（ステップＳＴ４“ＮＯ”）、次の優先順位Ｍ＝２位の検索キーワードを用いて各種コンテンツソースを検索する（ステップＳＴ５）。このように、優先順位に従って検索キーワードを順に検索していく。
なお、タイトル「高校サッカー予選」の番組情報から抽出したすべての検索キーワードの検索を行ってもよいし、所定順位までの検索キーワードの検索を行ってもよい。
【００２５】
すべての検索キーワード（または所定順位までの検索キーワード）の検索を完了すると（ステップＳＴ４“ＹＥＳ”）、続くステップＳＴ６において、関連度算出部１１が、Ｎ＝１番目の放送チャンネルの放送中の番組情報と先のステップＳＴ３で取得した関連情報とを比較して、番組情報に対する各関連情報の関連度を算出する。関連度算出部１１は、すべての放送チャンネルの放送中の番組に関して関連度を算出し終えると（ステップＳＴ７“ＹＥＳ”）、一連の処理を終了する。一方、未処理の放送チャンネルがあれば、次のＮ＝２番目の放送チャンネルの放送中の番組情報について一連の処理を行う（ステップＳＴ８）。
【００２６】
表示切替部１２は、ユーザがリモコン１６を用いて入力する上下左右の方向指示に応じて、番組情報表示制御部１３、一次関連情報表示制御部１４および二次関連情報表示制御部１５の動作を切り替え、表示部５の画面表示を変更する。また、表示切替部１２は、関連度算出部１１から入力される番組情報を番組情報表示制御部１３へ、関連情報と関連度を一次関連情報表示制御部１４および二次関連情報表示制御部１５へ、それぞれ出力する。
【００２７】
番組情報表示制御部１３は、放送中の各番組の番組情報を、視聴中番組を表示している表示部５の画面下部に重畳表示する。
他方、一次関連情報表示制御部１４および二次関連情報表示制御部１５は、放送中の各番組の関連情報を、視聴中番組を表示している表示部５の番組情報の上側に表示する。ここでは、関連情報を二段階に分けて表示することとし、一段階目では一次関連情報表示制御部１４が、一つの番組情報に対して関連度が高い上位二つの関連情報を、一次関連情報として表示する。二段階目では二次関連情報表示制御部１５が、一つの番組情報に対して関連度が高いものから順に全画面に任意数の関連情報を、二次関連情報として表示する。なお、一次関連情報、二次関連情報として表示する関連情報数は任意でよい（一次関連情報数＜二次関連情報数とする）。関連情報を三段階以上に分けて段階的に表示してもよい。
【００２８】
図８は、ユーザがリモコン１６を用いて放送チャンネルの選択操作を開始した場合の画面表示例である。通常は、テレビ受像部２から表示部５へ視聴中番組の映像データを出力して画面表示している。その際、放送チャンネルの選択操作が開始されると、表示切替部１２が番組情報表示制御部１３および一次関連情報表示制御部１４へ番組情報などを出力する。番組情報表示制御部１３は、放送中の各番組Ａ〜Ｄの番組情報に含まれる番組情報アイコンＡ〜Ｄを横一列に表示する。この表示と略同時に、一次関連情報表示制御部１４が、番組Ａの関連度上位１位と２位の関連情報に含まれる関連情報アイコンａ１，ａ２を、番組情報アイコンＡの上側に表示する。一次関連情報表示制御部１４は同様にして、番組Ｂ〜Ｄの関連情報アイコンｂ１，ｂ２，ｃ１，ｃ２，ｄ１，ｄ２を各番組情報アイコンＢ〜Ｄの上側に表示する。
【００２９】
例えば、現在放送中の番組「高校サッカー予選」の一画面を表した番組情報アイコンＡの上側に、関連度が最も高い「サッカーマガジン」の表紙を表した関連情報アイコンａ１と、二番目に関連度が高い録画済み番組「日本代表戦」の一画面を表した関連情報アイコンｂ２とが表示される。なお、図８、ならびに後述する図９および図１０では番組情報と関連情報を表すアイコンを表示したが、これに限定されるものではなく、テキストを表示してもよい。
【００３０】
ユーザがこの画面を見ながらリモコン１６の左右方向キーを操作すると、番組情報表示制御部１３が左右方向キーの操作に応じて、現在選択中の番組情報アイコンＢのフォーカスを、左右の番組情報アイコンＡ，Ｃ，Ｄに移動する。また、すべての番組情報アイコンを一度に画面表示できない場合、左右方向キーの操作に応じて番組情報アイコン列を左右にスクロールしてもよい。番組情報アイコンの左右方向へのスクロールに伴い、関連情報アイコンも左右方向へスクロールするようにする。
【００３１】
また、ユーザがリモコン１６の上下方向キーを操作すると、一次関連情報表示制御部１４が上下方向キーの操作に応じて、現在選択中の番組情報アイコンＢのフォーカスを、上側の関連情報アイコンｂ１，ｂ２に移動する。図９に、関連情報アイコンｂ２にフォーカスを移動した場合の画面表示例を示す。ここでは、番組情報アイコンＡ〜Ｄのいずれかがフォーカスされている場合、図８に示すように番組情報アイコンＡ〜Ｄの背面に関連情報アイコンａ１〜ｄ１の一部が隠れるように表示すると共に、関連情報アイコンａ１〜ａｄ１の背面に関連情報アイコンａ２〜ｄ２の一部が隠れるように表示する。関連情報アイコンａ１〜ｄ１，ａ２〜ｄ２のいずれかがフォーカスされている場合は、図９に示すように各関連情報アイコンａ１〜ｄ１，ａ２〜ｄ２の全体を表示する。
【００３２】
さらに、図９の画面表示例において、ユーザがリモコン１６の上方向キーを操作すると、表示切替部１２は一次関連情報表示制御部１４に代えて二次関連情報表示制御部１５へ関連情報などを出力し、関連情報を全画面表示させる。
図１０に、関連情報アイコンの全画面表示例を示す。二次関連情報表示制御部１５は、番組情報アイコンＡの上側の関連情報表示領域ａ’に、この番組Ａに関連する関連情報アイコンａ１〜ａ７を、コンテンツソース毎に最適化されたサイズで展開する。各関連アイコンａ１〜ａ７のうち、関連度の高いものほど番組情報アイコンＡに近い位置に配置するが、配列順序は厳密でなくてよく、例えば前後の関連情報アイコンのサイズに応じて最適な配置となるように順序を入れ替えてもよい。また、最適な配置となるように、表示する関連情報アイコン数を増減してもよい。
二次関連情報表示制御部１５は同様にして、番組情報アイコンＢ〜Ｄの上側の関連情報表示領域ｂ’〜ｄ’に、各番組Ｂ〜Ｄに関連する関連情報アイコンｂ１〜ｂ７，ｃ１〜ｃ８，ｄ１〜ｄ７を展開する。
【００３３】
図８〜図１０に示す画面表示例において、ユーザがリモコン１６の方向キーを操作して所望のアイコンにフォーカスを移動し、決定キーを押下することにより、所望の表示画面に遷移させることができる。例えば、番組情報アイコンＢにフォーカスが移動した状態で決定キーが押下されると、テレビ受像部２がその操作に従って番組Ｂの映像データを表示部５に出力し、番組Ｂの視聴画面へ遷移する。
【００３４】
また例えば、番組Ｂの関連情報アイコンｂ１〜ｂ７のいずれかにフォーカスが移動した状態で決定キーが押下されると、コンテンツ取得部６がその操作に従って関連情報に紐付いたコンテンツを取得して表示部５に出力し、コンテンツの表示画面へ遷移する。例えば、ショッピングサイトまたは書籍販売サービスのコンテンツの関連情報アイコンの場合、コンテンツ取得部６はネットワーク７を介して詳細情報を取得して表示部５に画面表示することにより、ユーザはそのコンテンツの購入操作を行うことができる。動画サービスまたは音楽サービスのコンテンツの関連情報アイコンの場合、コンテンツ取得部６はネットワーク７を介して動画データまたは音楽データを取得して表示部５に動画再生画面または音楽再生画面を表示する。録画済みコンテンツの関連情報アイコンの場合、コンテンツ取得部６は記憶装置８から録画済みコンテンツのデータを取得して表示部５に録画済み番組再生画面を表示する。放送予定番組の関連情報アイコンの場合、コンテンツ取得部６が表示部５に録画予約操作画面を表示する。
【００３５】
なお、図８〜図１０の画面表示例では、放送中の各番組の番組情報アイコン一覧を画面下部に横方向へ並べたが、これ以外の配置でもよく、例えば画面上部に横方向へ並べたり、画面左側に縦方向へ並べたりしてもよい。
また、一次関連情報アイコンおよび二次関連情報アイコンについても、番組情報アイコン一覧の位置に応じて配置および展開方向を変更してよく、例えば番組情報アイコン一覧を画面上部に横方向へ並べた場合、一次関連情報アイコンを番組情報アイコンの下側に配置し、二次関連情報アイコンを下方向に展開する。
【００３６】
また、ユーザが選択した関連情報のコンテンツを、ブックマーク（お気に入り）としてユーザ履歴記憶部１０に登録しておき、メニュー等の画面からそのコンテンツの表示画面に直接遷移できるようにしてもよい。
【００３７】
また、上記説明ではテレビ番組を視聴中の表示部５に関連情報を重畳表示するようにしたが、これに限定されるものではない。例えば、関連度算出部１１から外部出力部１８へ関連情報と関連度を出力し、外部出力部１８からネットワーク７を介した無線通信などで別体の表示装置（例えば、スマートフォン）へ転送して表示するようにしてもよい。この場合には、スマートフォン側で関連情報を表示し、ユーザの選択した関連情報のコンテンツを取得して画面表示するようにしてもよい。さらに、専用のリモコン１６に代えて、スマートフォンにリモコン１６の機能を持たせてもよい。
【００３８】
以上より、実施の形態１によれば、情報表示装置１は、アンテナ３の受信する放送波から放送中の映像コンテンツと番組情報に分離するテレビ受像部２と、番組情報を記憶する番組情報記憶部４と、放送中の映像コンテンツのうちのいずれかの映像コンテンツを表示する表示部５と、録画済みコンテンツおよびインターネットコンテンツなどのコンテンツソース群から、番組情報に少なくとも部分一致する関連情報（属性情報）を有する関連コンテンツを検索し、一つの映像コンテンツに対して任意数の関連コンテンツを取得するコンテンツ取得部６と、関連情報を記憶する関連情報記憶部９と、放送中の複数の映像コンテンツそれぞれの番組情報を、放送中の映像コンテンツのうちのいずれかの映像コンテンツを表示している画面に重畳表示する番組情報表示制御部１３と、番組情報表示制御部１３による複数の番組情報の重畳表示と同時に、当該番組情報毎にコンテンツ取得部６で取得した任意数の関連情報のうちの一部の関連情報を重畳表示する一次関連情報表示制御部１４とを備えるように構成した。このため、ユーザがコンテンツソースの切り替え操作、およびキーワード入力による検索などを行うことなく、日常的なテレビ視聴のための操作に近い操作で、放送中の各番組に関連する各種コンテンツの関連情報を自動的に検索でき、さらに、各番組の関連情報を一画面上で閲覧することができる。
【００３９】
また、実施の形態１によれば、情報表示装置１は、関連情報の表示数を増やし、番組情報表示制御部１３による複数の番組情報の重畳表示領域を除く全画面に表示する二次関連情報表示制御部１５と、リモコン１６からリモコン受光部１７が受信したユーザの指示に応じて、一次関連情報表示制御部１４による一部表示から二次関連情報表示制御部１５による全画面表示へ切り替える表示切替部１２とを備えるように構成した。このため、ユーザの簡単な操作で関連情報の表示量を変更でき、閲覧性を向上することができる。
【００４０】
また、実施の形態１によれば、情報表示装置１は、番組情報に対する関連情報の関連度を算出し、一つの映像コンテンツに対する任意数の関連コンテンツを関連度が高い順に順位付けする関連度算出部１１を備え、一次関連情報表示制御部１４および二次関連情報表示制御部１５は、関連情報を、関連度算出部１１の順位付けに従って並べて表示するように構成した。このため、ユーザが、各種コンテンツソース内の膨大な情報の中から関連度の高いコンテンツを容易に見つけ出すことができる。
【００４１】
また、実施の形態１によれば、番組情報と関連情報とを重畳表示している場合に、リモコン受光部１７がユーザからいずれかの関連情報の選択指示を受けると、コンテンツ取得部６は、当該選択指示された関連情報を有する関連コンテンツを表示させるように構成した。このため、ユーザは簡単な操作で実行中の機能を変更することができ、例えばテレビ番組視聴からインターネットショッピングへ容易に切り替え可能となり利便性が向上する。
【００４２】
また、実施の形態１によれば、関連度算出部１１は、ユーザ履歴記憶部１０で収集した情報に基づくユーザの嗜好に合わせて、関連コンテンツを順位付けするように構成した。このため、ユーザが、各種コンテンツソース内の膨大な情報の中から好みのコンテンツを容易に見つけ出すことができる。
【００４３】
また、実施の形態１によれば、情報表示装置１は、コンテンツ取得部６で取得した関連情報をスマートフォン等の外部装置に外部出力する外部出力部１８を備えるように構成した。このため、ユーザは情報表示装置１でテレビ番組の視聴を継続しつつ、外部装置でインターネット上の関連コンテンツを閲覧または購入手続きをするなど、多様な使い方ができるようになり、利便性が向上する。
【００４４】
なお、上記説明ではテレビ受像部２を有するテレビ受像機を情報表示装置１として用いる場合の構成例を説明したが、これに限定されるものではない。例えばパーソナルコンピュータ、スマートフォン、カーナビゲーション装置といった地上デジタル放送を受信可能な機器を用いてもよい。
【００４５】
さらに、テレビ番組とその関連コンテンツの表示に限定されるものではない。例えば、情報表示装置１を観光情報を提供するデジタルサイネージに適用する場合、放送中の番組の番組情報に代えて観光スポットを表す情報を画面表示すると共に、番組との関連度が高いコンテンツの関連情報に代えて観光スポット周辺の店舗の情報、クーポンの情報などを画面表示する。
【００４６】
上記以外にも、本願発明はその発明の範囲内において、実施の形態の任意の構成要素の変形、もしくは実施の形態の任意の構成要素の省略が可能である。
【符号の説明】
【００４７】
１  情報表示装置、２  テレビ受像部、３  アンテナ、４  番組情報記憶部、５  表示部、６  コンテンツ取得部、７  ネットワーク、８  記憶装置、９  関連情報記憶部、１０  ユーザ履歴記憶部、１１  関連度算出部、１２  表示切替部、１３  番組情報表示制御部、１４  一次関連情報表示制御部、１５  二次関連情報表示制御部、１６  リモコン
１７  リモコン受光部。
【図１】
0005889008.tif 000002
【図２】
0005889008.tif 000003
【図３】
0005889008.tif 000004
【図４】
0005889008.tif 000005
【図５】
0005889008.tif 000006
【図６】
0005889008.tif 000007
【図７】
0005889008.tif 000008
【図８】
0005889008.tif 000009
【図９】
0005889008.tif 000010
【図１０】
0005889008.tif 000011